(57)【要約】      （修正有）【課題】かぶせを開けた状態で収納物の出し入れができる箱型鞄を提供する。【解決手段】マチ１２が広く横幅Ｗが高さＨより長い箱型鞄１０において、矩形のかぶせ１４を一のマチ１２ａの上部から延出させて設ける。かぶせ１４の２つの長辺に係合部１６ａ、１６ｂを備え、前記係合部１６ａ、１６ｂをそれぞれ係合させる被係合部１８ａ、１８ｂを箱型鞄１０の前身頃１０ａと後見頃１０ｂの裏面上部に備える。係合部と被係合部１８ａ、１８ｂとをかみ合せ又離して、かぶせ１４を開閉する。また、かぶせ１４を開けるとき、かぶせ１４を一のマチ１２ａの上部に巻き取る。箱型鞄１０において、マチ１２ａにかぶせ１４を巻き取ることにより、取り出し口を全開にでき、収納物の出し入れを容易にできる。【選択図】図１
2012231808.tif 000002
【特許請求の範囲】
【請求項１】
マチが広く横幅が高さより長い箱型鞄において、矩形のかぶせを一のマチの上部から延出させて設け、前記かぶせの２つの長辺に係合部を備え、前記係合部を係合させる被係合部を前記箱型鞄の前身頃と後見頃の裏面上部に備えるものであって、前記係合部と被係合部とを係合し又離して前記かぶせを開閉し、当該かぶせを開けるとき、そのかぶせを前記一のマチの上部に巻き取ることを特徴とする箱型鞄。
【発明の詳細な説明】
【技術分野】
【０００１】
本発明は、マチ（襠）が広く横幅が高さより長い箱型鞄に関するものである。
【背景技術】
【０００２】
マチが広く横幅が高さより長い箱型鞄は、多くの書類やパソコン等を収納でき、ビジネスバックや学生鞄等に利用されている。箱型鞄の中には、学生鞄にようにかぶせ（かぶせ蓋）を備えるものがあり、そのかぶせは、鞄の前身頃（又は後見頃）から延出するように形成されていた。このような鞄は、かぶせを開けると取り出し口を全開にでき、収納物の出し入れが容易なものであった。
しかし、収納物の出し入れの度に、かぶせを開閉するのは不便であった。そこで、従来、かぶせを開閉せずに収納物の出し入れが可能な蓋部付き鞄が提供されている（たとえば、特許文献１）。
【先行技術文献】
【特許文献】
【０００３】
【特許文献１】特開２００８−１８１９３号公報
【発明の概要】
【発明が解決しようとする課題】
【０００４】
特許文献１の蓋部付き鞄は、かぶせを開閉する鞄であり、かぶせに取り出し口に通じる補助開口部を設けたものである。これにより、かぶせを閉じた状態でも収納物の出し入れができる。また、かぶせを開閉することなく収納物の出し入れを可能にし、従来のように収納物の出し入れの度にかぶせを開閉するという不便を解消できる。
しかし、特許文献１の蓋部付き鞄は、補助開口部の開閉具としてファスナーを用いて補助開口部を形成するものであり、取り出し口を全開にするものではなかった。従って、特許文献１の蓋部付き鞄の補助開口部は、かぶせを開ける場合に比べ取り出し口が狭く、収納物の出し入れが不便なものであった。
【０００５】
本発明は、かぶせを開けた状態で収納物の出し入れができる箱型鞄を提供することを目的とするものである。
【課題を解決するための手段】
【０００６】
本発明の箱型鞄は、マチが広く横幅が高さより長い箱型鞄において、矩形のかぶせを一のマチの上部から延出させて設け、前記かぶせの２つの長辺に係合部を備え、前記係合部を係合させる被係合部を前記箱型鞄の前身頃と後見頃の裏面上部に備えるものであって、前記係合部と被係合部とを係合し又離して前記かぶせを開閉し、当該かぶせを開けるとき、そのかぶせを前記一のマチの上部に巻き取るようにしたものである。
【発明の効果】
【０００７】
本発明の箱型鞄は、一のマチから延出するかぶせをそのマチに巻き取ることにより、取り出し口を全開にするものである。これにより、従来の箱型鞄のようにかぶせを開閉しながら収納物の出し入れを行う不便はなく、また、出し入れも容易にできる。
また、従来の箱型鞄では、かぶせは鞄の後見頃（又は前身頃）から延出するように形成されていたことから、かぶせを開いた状態で収納物の出し入れを行う際、場所を取り、かぶせが邪魔になる場合があった。これに対し、かぶせをマチに巻き取る本発明では、収納物の出し入れの際、場所を取らず、かぶせが邪魔になることもない。
さらに、従来の箱型鞄では、床に鞄を置いて収納物の出し入れを行う場合、かぶせを開くとかぶせの重みで鞄がかぶせ側に倒れてしまうことがあった。これに対し、横幅が高さより長い本発明の箱型鞄においては、マチにかぶせを巻き取ることで、鞄が倒れることを防止でき、床に鞄を置いたまま収納物の出し入れを行うことができる。
【図面の簡単な説明】
【０００８】
【図１】本発明の箱型鞄のかぶせを開いた状態を表わす図である。
【図２】本発明の箱型鞄のかぶせを表わす図であり、図（ａ）は、かぶせの裏面の構造を表わす図であり、図（ｂ）は、かぶせを巻き取る状態を表わす図である。
【発明を実施するための形態】
【０００９】
本発明は、かぶせを開いたまま収納物の出し入れを実現するものである。
【実施例】
【００１０】
本発明の箱型鞄を図に基づいて説明する。図１は、本発明の箱型鞄のかぶせを開いた状態を表わす図である。図２は、本発明の箱型鞄のかぶせを表わす図であり、図（ａ）は、かぶせの裏面の構造を表わす図であり、図（ｂ）は、かぶせを巻き取る状態を表わす図である。
本発明の箱型鞄１０は、マチ１２（の幅）が広く横幅Ｗが高さＨより長い箱型の鞄である。図１の箱型鞄１０において、かぶせ１４は、一のマチ１２ａの上部にロール状に巻かれ、取り出し口１５が全開（フルオープン）となっている。
かぶせ１４は矩形のものであり（図２（ａ））、布、化学繊維、ＥＶＡ（エチレン酢ビコポリマーethylene vinyl acetate copolymer）等の材質で成型されている。
かぶせ１４の２つの長辺１４ａ，１４ｂには、係合部１６ａ，１６ｂが備えられている（図２（ａ））。図２（ａ）の係合部１６ａ，１６ｂは、かぶせ１４の長辺１４ａ，１４ｂに縫い付けられたファスナーＡ、Ｂの務歯（エレメント）である（図２（ｂ））。また、鞄１０の前身頃１０ａと後見頃１０ｂの裏面の上部には、係合部１６ａ，１６ｂをそれぞれ係合する被係合部１８ａ，１８ｂが備えられている。図１および図２（ｂ）の被係合部１８ａ，１８ｂは、ファスナーＡ，Ｂの務歯（エレメント）である。係合部１６ａ，１６ｂは、ファスナーＡ，Ｂのスライダーを上下させることにより、被係合部１８ａ，１８ｂとかみ合い又離れる（図２（ｂ））。すなわち、かぶせ１４は、ファスナーＡ，Ｂにより開閉される。
【００１１】
かぶせ１４の一の端部１４ｃは、かぶせ１４をマチ１２ａの上部に固定するかぶせ固定部である。図１および図２（ｂ）において、かぶせ固定部１４ｃは、マチ１２ａの上部に取り付け固定され、かぶせ１４はマチ１２ａの上部から延出するように設けられている。
かぶせ１４の他の端部１４ｄは、かぶせ１４を閉めるとき、マチ１２ｂの上部に取り付けられる綴じ代部である。綴じ代部１４ｄの裏面には、留め具２０が備えられている。なお、留め具２０は、面ファスナー、マグネット等である。
【００１２】
かぶせ固定部１４ｃを除くかぶせ１４の裏面には、長辺１４ａ，１４ｂと平行に、ロール状（又は渦巻き状）に巻き上がる形状を記憶する帯状の合金２２（たとえば、形状記憶合金、超弾性合金等）が取り付けられている。本発明における合金２２は、一定の力によって直線状に変形させることができ、力を除けばロール状（又は渦巻き状）の形態に復元するものである。すなわち、スライダーを上下させてかぶせ１４を開閉する際、かぶせ１４は自動的に巻き取られ、また伸ばされるように設定されている（図２（ｂ））。なお、合金２０は、かぶせ１４を巻き取り又は伸ばすことができるものであれば足り、上例の合金２０に限定されるものではない。
【００１３】
図２（ｂ）において、ファスナーＡ，Ｂの引き手（つまみ）は、チェーンを介して連結されており、チェーンを用いて、２つのファスナーＡ、Ｂを同時に上下できるようになっている。
また、かぶせ１４の係合部１６ａ，１６ｂは、かぶせ固定部１４ｃおよび綴じ代部１４ｃを除くかぶせ１４の長辺１４ａ，１４ｂ部分に設けられている。
また、係合部１６ａ，１６ｂ、被係合部１８ａ，１８ｂは、ファスナーの務歯以外のものであってもよい。たとえば、面ファスナー、マグネット等を用いてもよい。
【００１４】
箱型鞄１０において、マチ１２ａにかぶせ１４を巻き取ることにより、取り出し口１５を全開（フルオープン）にできるため、収納物の出し入れができる。従来の学生鞄のようにかぶせを開閉しながら収納物の出し入れを行う必要がなく、また収納物の出し入れも便利である。
【００１５】
従来の学生鞄では、かぶせは前身頃（又は後見頃）から延出するように形成されていたことから、かぶせを開いた状態で出し入れする際、場所を取り、かぶせが邪魔になる場合があった。これに対し、本発明では、かぶせ１４をマチ１２ａに巻き取って束ねるため、場所を取らず、またかぶせ１４が邪魔になることもない。
また、かぶせが前身頃（又は後見頃）から延出するように形成されていた従来の学生鞄では、床に鞄を置いて収納物を出し入れする際、かぶせの重さで鞄が倒れてしまうことがあり、出し入れが不便な場合があった。これに対し、本発明では、横幅が高さより長い箱型鞄１０のマチ１２にかぶせ１４を巻き取るため、かぶせ１４の重さで鞄１０が倒れることはなく、従来の出し入れ時の不便を解消することができる。
【００１６】
本発明において、かぶせ１４を開閉するファスナーＡ，Ｂを防水ファスナーとしてもよい。これにより、防水効果のある箱型鞄を提供できる。たとえば、ＰＣ等の精密機器や販促商品等を収納するビジネス用バックとして、また多種多様のルアーを入れたボックスを収納するフィッシング等に使用するアウトドア用バックとして利用できる。
【符号の説明】
【００１７】
１０  箱型鞄
１０ａ  前身頃
１０ｂ  後身頃
１２ａ，１２ｂ  マチ
１４  かぶせ
１６ａ，１６ｂ  係合部
１８ａ，１８ｂ  被係合部
【図１】
2012231808.tif 000003
【図２】
2012231808.tif 000004